(57)【要約】      （修正有）【課題】一連のゴルフスイング動作をゆっくりしたスイングでもフルスイングのような高速の時でも、ガイドの存在を意識することが少なく、かつ高い安全性を確保しながら所定のスイングプレーンを確認、習得できるゴルフスイング矯正器具を提供する。【解決手段】飛球方向Ｈ１に平行に紐４ａ、４ｂをパイプ３ａ、３ｂ間で直線状に装着する。この装着場所が自在の紐４ａ、４ｂを線状ガイドとして使用し、紐４ａと紐４ｂの間をクラブ７が通過するようにスイングする。紐４ａ又は紐４ｂの一本だけの装着でも矯正効果がある。クラブ７に紐４ａ、４ｂが絡まっても、２倍以上の伸縮性を有し支持台２、パイプ３が転倒する危険性は低い。調整が自在の線状ガイドを有することと、フルスイング時でも安全にスイングプレーンを習得、練習できる点が特徴である。なお、本矯正器具は支持台２ａ、パイプ３ａまで届かないヒモ付練習ボールの使用、又は素振りでの使用を推奨する。【選択図】図１
2015077377.tif 000002
【特許請求の範囲】
【請求項１】
ゴルフクラブのスイングプレーンのガイドを有したゴルフスイング矯正器具において、パイプとそれを支える支持台の一対で構成され、二本のパイプ間で装着される伸縮性のある直線状ガイドと、このガイドによりスイングプレーン範囲を自在に設定、調整できることを特徴とするゴルフスイング矯正器具。
【請求項２】
パイプを支持台に嵌合させパイプを底面に対して垂直に装着または脱着が可能となるよう、底面は平面で、上部に凹部構造を有する支持台をもつことを特徴とする、請求項１記載のゴルフスイング矯正器具。
【請求項３】
使用時には所定の重量を有し、収納、保管時には軽量化ができるよう、重量が可変となる支持台をもつことを特徴とする、請求項１、２記載のゴルフスイング矯正器具。
【請求項４】
パイプには目盛りが表記され、紐との装着場所を正確に調整ができることを特徴とする請求項１、２、３記載のゴルフスイング矯正器具。
【請求項５】
線状ガイドとなる紐をパイプを装着するにあたり、容易に装着また解除できる装着器具を有することを特徴とする請求項１、２、３、４記載のゴルフスイング矯正器具。
【発明の詳細な説明】
【技術分野】
【０００１】
本発明は、ゴルフスイングでゆっくりとしたスピードでもフルスイングのような高速でもスイングスピードに関係なく、高い安全性を確保しながら所定のスイングプレーンを確認、習得するためのゴルフスイング矯正器具に関するものである。
【背景技術】
【０００２】
従来のゴルフスイング矯正器具はゴルフクラブが通過する部分に固形ガイドを設置しそれに沿いスイングし、所定のスイングプレーンを確認、習得するものであった。
プレイヤーの周りに円環状の固形ガイドを設置し、クラブをその円環に沿いスイングする矯正器具がある（例えば特許文献２参照）。またプレイヤーの前又は横に棒状又は板状の固形ガイドを設置しそのガイドに沿いスイングすることにより所定のスイングプレーンを習得する矯正器具もある（例えば特許文献１、３、４、５参照）。
これらはフルスイングではクラブと固形ガイドが接触して破損の危険があるだけでなく、プレイヤーにとって固形ガイドの存在が気になり、実際にはゆっくりしたスイングでしか練習できなかった。
【先行技術文献】
【特許文献】
【０００３】
【特許文献１】特開２００７−２９１４８号  公報
【特許文献２】特許第４４２３０５９号  公報
【特許文献３】特開２００７−６１４７８号  公報
【特許文献４】特開２０１０−８２４０９号  公報
【特許文献５】実用新案登録第３０３３７２２号  公報
【発明の概要】
【発明が解決しようとする課題】
【０００４】
解決しようとする問題点は次の通りである。従来のゴルフスイング矯正器具はプレイヤーの周りに円環状、又は板状、又は棒状の固形ガイドを設置し、それに沿いスイングし所定のスイングプレーンを確認、習得するものであった。
【０００５】
プレイヤーの周りに円環状の固形ガイドを設置し、クラブをその円環に沿いスイングする矯正器具がある。これはゆっくりスイングした時はクラブを固形ガイドに沿えて所定のスイングプレーンを確認できるが、フルスイング時は遠心力でクラブが固形ガイドから離れ、所定のスイングプレーンを確認できなくなっていた。
またフルスイングの時はクラブが高速で固形ガイドに触れることもありクラブ、ガイドの破損の危険性もあった。
【０００６】
またプレイヤーの横あるいは前に板状又は棒状の固形ガイドを設置し、その固形ガイドに沿いスイングすることにより所定のスイングプレーンを確認、習得できる矯正器具もある。
これらもゆっくりしたスイングの時は確認、習得の効果があるが、フルスイングの時はクラブと固形ガイドが接触、破損する危険性があった。またわずかに接触しても危険を伴う固形ガイドの存在はプレイヤーの精神的な負荷も高く、集中力を阻害し、フルスイングする時のスイング矯正器具としては一部不適であった。
【課題を解決するための手段】
【０００７】
本発明はアドレス、バックスイング、ダウンスイング、フォロースイング、フィニッシュの一連のゴルフスイング動作をゆっくりしたスイングでもフルスイングのような高速の時でも、ガイドの存在を意識することが少なく、かつ高い安全性を確保しながら所定のスイングプレーンを確認、習得できるゴルフスイング矯正器具である。
【０００８】
ゴルフ教則によるとバックスイング、ダウンスイング、フォロースイングにおけるスイングプレーンは、プレイヤーがボールを飛ばす意図がある方向（以下飛球方向と記す）の真逆方向からみて、アドレスした時のボール位置とプレイヤーの肩、首の周辺を結んだ線の延長線上と、クラブの延長線上の三角形の範囲内で行うことが推奨されている。
特にクラブヘッドがプレイヤーの腰の周辺から地面までの高さにある間では、スイングプレーンがこの三角形の範囲内にあることが必須とされている。本矯正器具はこの必須とされる許容範囲内でスイングしていることを確認、習得できることを特徴とする。
【０００９】
飛球方向とその真逆方向の二か所に支持台を置き、両方の支持台の上部の凹部にパイプを嵌合させ立てる。細く柔らかく十分な伸縮性のある紐又はゴム紐(以下紐と記す）を一本又は二本を直線になるように、パイプ間で装着する。装着する場所はスイングプレーンが許容範囲になるようなところとする。
本矯正器具はこの紐をスイングプレーンの線状ガイドとすることを特徴とする。
高い位置間の紐はスイングプレーンの上方制限となり、クラブがこの下を通過するようにスイングする。低い位置間の紐はスイングプレーンの下方制限となり、クラブがこの上を通過するようにスイングする。
高い位置間だけに紐を装着した場合はスイングプレーンの上方制限を集中的に確認、習得することになり、また低い位置間だけに紐を装着した場合はスイングプレーンの下方制限を集中的に確認、習得することになる。
【００１０】
高い位置と低い位置の両方に紐を装着した場合は、高い位置の紐と低い位置の紐の間でスイングすることにより、スイングの確認、習得の精度を一層向上させることができる。また紐とパイプの装着場所はプレイヤーの身長、上達度、使用するクラブ、練習目的によって任意に変更ができる。
このように紐の本数を一本又は二本に変える事と紐とパイプの装着場所を変える事により、多様な練習条件を作ることができる事を特徴とする。
【００１１】
支持台は底面が水平でパイプを底面に垂直に嵌合できるような上部に凹部構造を有し、パイプを装着また脱着を可能とし、又必要に応じ重量を可変できる事を特徴とする。
【００１２】
パイプに長さ目盛を表記しておくことにより、正確に紐とパイプの装着場所の調整ができる事を特徴とする。
【００１３】
紐の終端に結んだ装着器具により簡単にパイプと紐を装着また解除することができる事を特徴とする。
【００１４】
紐は２倍以上の伸縮性を有した、例えばゴム又はゴムと繊維の複合材質とし、フルスイングしてクラブがパイプに絡まっても支持台、パイプが転倒する可能性は極めて低い事を特徴とする。また紐は細い為に紐の存在を意識することが少なくプレイヤーはスイングに集中できる事を特徴とする。
【発明の効果】
【００１５】
ゆっくりしたスイングでもフルスイングでもプレイヤーがスイングに集中でき、かつクラブや器具の破損の可能性が低く、安全に練習できることが利点である。
【００１６】
支持台、パイプ、紐、装着器具がそれぞれ独立していて運搬、組立、収納が容易である。
【図面の簡単な説明】
【００１７】
【図１】本発明の一実施形態を説明する斜視図である。
【図２】本発明の一実施形態を説明する飛球線後方からみた側面図である。
【図３】本発明の一実施形態を説明する平面図である。
【図４】支持台２を説明する斜視図である。
【図５】パイプ３を説明する側面図である。
【図６】紐をパイプに装着する装着器具を説明する平面図である。
【発明を実施するための形態】
【００１８】
ゴルフ教則によるとバックスイング、ダウンスイング、フォロースイングにおけるスイングプレーンは図２のように飛球方向の真逆方向からみて、アドレスした時のボール位置８とプレイヤー１の肩、首の周辺を結んだ線の延長仮想線９上とクラブ７の延長仮想線１０上の三角形の範囲内で行うことが推奨されている。
特にクラブヘッドがプレイヤー７の腰の周辺から地面までの高さにある間ではスイングプレーンがこの三角形の範囲内、すなわち図２の斜線部Ａの範囲、にあることが必須とされている。本矯正器具はこの必須とされる許容範囲内でスイングしていることを確認、習得できるものである。
【００１９】
この発明におけるプレイヤー１と本矯正器具の配置関係並びに実施形態図を図１、図２、図３に示す。プレイヤーは右利きであることを前提に説明する。支持台２ａ、２ｂに形成した凹部構造１１に支持台２ａとパイプ３ａ、支持台２ｂとパイプ３ｂを嵌合させ装着させる。
プレイヤー１が方向Ｈ２へバックスイングをし、クラブ７が支持台２ｂ、およびパイプ３ｂに接触しない地点に支持台２ｂを設置する。方向Ｈ１へフォロースイングし、クラブ７が支持台２ａおよびパイプ３ａに接触しない地点に支持台２ａを置く。
【００２０】
図６の鋏状形の装着器具１４を使用し、紐４ａをパイプ３ａの装着場所５ａとパイプ３ｂの装着場所５ｂにほぼ直線になるように装着し、同様に鋏状形の装着器具１４を使用し紐４ｂをパイプ３ａの装着場所６ａとパイプ３ｂの装着場所６ｂにほぼ直線になるように装着する。本矯正器具はこの紐をスイングプレーンのガイドとして使用する。
【００２１】
図２のように、装着場所５ａはパイプ３ａと仮想線９の交点近辺、装着場所６ａはパイプ３ａと仮想線１０の交点近辺、装着場所５ｂはパイプ３ｂと仮想線９の交点近辺、装着場所６ｂはパイプ３ｂと仮想線１０の交点近辺とする。
【００２２】
支持台２ａ、２ｂは支持台２と同一構造であり、図４に支持台２の斜視図を記す。支持台２は樹脂製又は金属製とし、底面は平面であり、底面に対し垂直な凹部構造１１を有し、パイプ３を嵌合し底面に垂直に立てることができる構造とする。またパイプ３を装着、脱着できる構造とする。
支持台２は使用時にはパイプ３が転倒しないように４〜５ｋｇ以上の重量を有し、未使用時には運搬、保管が簡便になるように軽量化を図れる構造とする。一例として注排水口１２を有し、そこから使用時には水を注水し、未使用時には排水できる構造とする。
【００２３】
パイプ３ａ、３ｂはパイプ３と同一構造であり、図５にパイプ３として側面図を記す。長さ１０００〜２０００ｍｍ程度、直径１０〜２０ｍｍ程度の円柱構造で金属製、又は樹脂製とする。パイプ３は紐４ａ、４ｂとの装着場所を正確に確認できるように、例えば１０ｍｍ単位の目盛１３を表記する。
【００２４】
紐４ａ、４ｂは同一部材である。１〜２ｍｍの直径で２倍以上の伸縮性を有し、例えばゴム又はゴムと繊維の複合材質を使用する。フルスイングしてクラブ７が紐４ａ、４ｂに絡んでも、２倍以上の伸縮性があれば、紐４ａ、４ｂを切断したり、支持台２、パイプ３を転倒したり、クラブ７を損傷するような危険性は低い。
【００２５】
図３のようにプレイヤー１は紐４ａ、４ｂと方向Ｈ１がほぼ平行になった状態でアドレスする。図１のようにプレイヤー１はボールのある位置８から方向Ｈ２にバックスイングを始動し、方向Ｈ２の紐４ａと紐４ｂの間をクラブ７が通過するよう軌道を描きクラブをトップまでひきあげる。
トップからダウンスイングでは方向Ｈ２の紐４ａと紐４ｂの間をクラブが通過する軌道を描き、クラブ７をボール位置８にあるボールにインパクトさせる。
インパクト後はクラブ７が方向Ｈ１の紐４ａと紐４ｂの間をクラブが通過するよう軌道を描きフォロースイングを行い、フィニッシュとなる。この一連の動作により、図２の斜線部Ａの範囲内でスイングしていることを確認、習得できる。
【００２６】
高い位置の紐４ａはスイングプレーンの上方制限となり、プレイヤー１はクラブ７が紐４ａの下を通過するようスイングする。低い位置の紐４ｂはスイングプレーンの下方制限となり、プレイヤー１はクラブ７が紐４ｂの上を通過するようスイングする。
紐４ａだけを装着した場合はスイングプレーンの上方制限だけを集中的に確認、習得することになる。
紐４ｂだけを装着した場合はスイングプレーンの下方制限だけを集中的に確認、習得することになる。
このように本矯正器具は紐４ａと紐４ｂの二本装着時のみならず、また紐４ａ又は紐４ｂのいずれか一本を装着しただけでも確認、習得の効果がある。
【００２７】
装着場所５ａ、５ｂ、６ａ、６ｂは使用するクラブ７、プレイヤー１の身長、習熟度、練習目的によって任意に変更が可能である。一例としてクラブ長さが長いドライバーと短いショートアイアンでは必然と装着場所５ａ、５ｂ、６ａ、６ｂは異なってくる。
他の一例として、トップから大きくプレイヤーからの外側に軌道を外してクラブを下してくる、アウトサイドイン軌道の強固な癖をもったプレイヤー１は装着場所５ａ、５ｂの位置を所定の位置、すなわち仮想線９とパイプ３ａとパイプ３ｂの交点、より高めに調整し練習し、徐々に低めに調整することにより矯正を段階的に進めることも可能である。
【００２８】
図６の紐４ａ、４ｂをパイプ３に装着する装着器具１４は、例えば洗濯鋏の平面図であって、樹脂製又は木製又は金属製で円状スプリング１６をもつ鋏状形の器具である。
紐４ａ、４ｂの両端子を装着器具１４の結び目１５に結び、装着器具１４の力点部１７を方向Ｈ３に押し、先端部を方向Ｈ４に開く。開いた部分をパイプ３と円状スプリング効果により装着する。
解除する時は装着器具１４の力点部１７を方向Ｈ３に押し、パイプ３から解除する。
【００２９】
この矯正器具は方向Ｈ１に支持台２ａ、パイプ３ａを置くのでスイングしたボールが当たる可能性がある。そのため支持台２ａ、パイプ３ｂまで飛ばない長さのヒモ付練習ボールの使用、又は素振用として使用することを推奨する。
【符号の説明】
【００３０】
１  プレイヤー
２、２ａ、２ｂ  支持台
３、３ａ、３ｂ  パイプ
４ａ、４ｂ  紐
５ａ、５ｂ、６ａ、６ｂ  紐とパイプの装着場所  
７  ゴルフクラブ
８  アドレス時のボール位置
９  アドレス時のボール位置とプレイヤーの肩、首の周辺を結んだ仮想線  
１０  アドレス時のクラブの延長仮想線
１１  支持台の凹部構造
１２  支持台の水の注排水キャップ
１３  パイプの目盛
１４  パイプと紐を装着する鋏状形の装着器具
１５  パイプと紐を装着する鋏状形の装着器具と紐の結び目
１６  パイプと紐を装着する鋏状形の装着器具の円状スプリング
１７  パイプと紐を装着する鋏状形の装着器具の力点部
Ｈ１  飛球方向
Ｈ２  飛球方向と真逆方向
Ｈ３  装着器具の力点部作用方向
Ｈ４  装着器具の先端部開口方向
【図１】
2015077377.tif 000003
【図２】
2015077377.tif 000004
【図３】
2015077377.tif 000005
【図４】
2015077377.tif 000006
【図５】
2015077377.tif 000007
【図６】
2015077377.tif 000008